(57)【要約】【課題】  連結器を開放および閉鎖の際に比較的問題なしに操作できるようにすること。【解決手段】  流体管路系用の連結器が、縦長の連結部品（１）と、長手方向に対して横方向にスライド可能に連結部品（１）に取り付けられたロック部材（２０）とを有する。ロック部材（２０）の導入は、連結部品（１）の案内切欠部（１３）に係合するロックウェブ（２４，２５）を介して行われる。ロック部材（２０）は、係合ノーズ（２６，２７）が開放維持凹部（１８，１９）へ、ないしはロック凹部（１６，１７）へ係合することによって、開放位置ないしはロック位置で固定可能である。
2007533924.tif 000002
【特許請求の範囲】
【請求項１】
連結部品を有する流体管路系用の連結器であって、該連結部品には対向部材の導入部分が導入可能であり、さらにロック部材を有し、該ロック部材は連結部品に可動に取り付けられており、かつロック構造体を有し、該ロック構造体はロック位置において、該導入部分に形成された相補構造体と共に、対向部材および連結部品をロックするように共働する形式の連結器において、
ロック部材（２０）は相互に平行な２つの側面部分（２２，２３）をもって形成されており、
該側面部分（２２，２３）の、連結部品（１）に向く内側にはそれぞれ長手方向に延在する少なくとも１つのロックウェブ（２４，２５）が形成されており、
該側面部分（２２，２３）の自由端部の領域にはノッチ構造体（２６，２７）が配置されており、
連結部品（１）は、相互に対向する案内切欠部（１３）をもって形成されており、該案内切欠部にはロックウェブ（２４，２５）が係合し、
連結部品（１）には該案内切欠部（１３）の一方の端部領域で、該係合構造体（２６，２７）と相補的に構成されたロック構造体（１６，１７）が設けられている、ことを特徴とする連結器。
【請求項２】
請求項１記載の連結器において、
連結部品（１）には該案内切欠部（１３）の他方の端部領域で、該係合構造体（２６，２７）と相応して構成された開放維持構造体（１８，１９）が設けられている連結器。
【請求項３】
請求項２記載の連結器において、
該係合構造体、ロック構造体、および該開放維持構造体は、該ロックウェブ（２４，２５）に対して直角に、連結部品の長手方向に配向された隆起部（２６，２７）と凹部（１６，１７，１８，１９）を有する連結器。
【請求項４】
請求項１から３までのいずれか一項記載の連結器において、
該ロック部材（２０）の自由端部の領域には解除構造体（Reliefstruktur）（３０，３１）が配置されている連結器。
【請求項５】
請求項１から４までのいずれか一項記載の連結器において、
該ロック部材（２０）は、側方部分（２２，２３）に対して直角に配向された扁平な屋根部分（２１）を有する連結器。
【請求項６】
請求項１から５までのいずれか一項記載の連結器において、
該ロックウェブ（２４，２５）は、連結部品（１）の導入側（３）の方向に傾斜されている連結器。
【発明の詳細な説明】
【技術分野】
【０００１】
本発明は、連結部品を有する流体管路系用の連結器に関するものであり、該連結部品には対向部材の導入部分が導入可能であり、さらにロック部材を有し、該ロック部材は連結部品に可動に取り付けられており、かつロック構造体を有し、該ロック構造体はロック位置において、該導入部分に形成された相補構造体と共に、対向部材および連結部品をロックするように共働する。
【０００２】
この種の連結器はＤＥ１０１４１３１５Ｃ１から公知である。公知の連結器は連結部品を有し、この連結部品には対向部材の導入部分が導入可能である。さらにＣ字状のロック部材が設けられており、このロック部材は連結器の長手軸を中心に回転可能に連結部品に取り付けられている。ロック部材はロック構造体として円形セグメント状の部分を有し、この円形セグメント状の部分は、ロック位置において対向部材の導入部分に形成された相補構造体と、導入部分および連結部品をロックするように共働する。すなわちこの円形セグメント状の部分が、連結部品および導入部分に形成された凹部に係合することによってロックされる。ロック部材が連結器の長手軸を中心に回転すると、円形セグメント状の部分は、ロック部材が折れ曲がることで凹部から外れ、導入部分を開放位置に開放する。回転を容易にするため、ロック部材の外側にはグリップ溝またはグリップ突起が設けられている。
【０００３】
しかし公知の連結器の操作は、次の点で不利であることが判明している。すなわち開放位置がある程度の不安定性を有しているのである。なぜなら比較的小さな力が連結部品に作用すると、この連結部品が開放位置からロック位置へ直接、跳躍的に移行するからである。さらに連結部品がロック位置から開放位置へその回転によって移行するためには、比較的に大きな空間が必要であり、これは最適ではない。最後に、例えばグリップ溝またはグリップ突起が摩耗すると、ロック部材の壁が滑らかとなり、このことは回転運動を実施するのに必ずしも問題がないわけではない。
【０００４】
本発明の課題は、冒頭に述べた形式の連結器を改善し、良好な操作を特徴とするように構成することである。
【０００５】
この課題は冒頭に述べた形式の連結器において本発明により、ロック部材が相互に平行な２つの側面部分をもって形成されており、該側面部分の、連結部品に向く内側にはそれぞれ長手方向に延在する少なくとも１つのロックウェブが形成されており、該側面部分の自由端部の領域にはノッチ構造体が配置されており、連結部品は、相互に対向する案内切欠部をもって形成されており、該案内切欠部にはロックウェブが係合し、連結部品には該案内切欠部の端部領域で、該係合構造体と相補的に構成されたロック構造体が設けられている、ことにより解決される。
【０００６】
連結器を本発明のように構成することによって、ロック部材が開放位置とロック位置との間で、連結器の長手方向に対して横方向に実質的に線形の方向で運動し、これによりスペースが狭い場合でも、比較的問題のない操作が可能である。さらにとりわけ開放位置が外部からの力作用に対して比較的高い安定性を有するという利点が得られる。これによりロック部材がロック位置へ意図せずに閉まってしまうことが少なくとも困難になる。
【０００７】
本発明のさらなる有利な構成は従属請求項の対象である。
【０００８】
図面を参照した、本発明の有利な実施例の以下の説明からさらなる有利な構成および利点が明らかとなる。
【０００９】
図１は、本発明の連結器の実施例の斜視図であり、この連結器は長手の連結部品１を有し、この連結部品は片側に接続短管２を有する。接続短管２は、長手方向に横断面が可変に構成されており、端部側が傾斜されている。この接続短管２には例えば図１に図示しない流体管路系のフレキシブルなチューブの端部に挿入（差込）することができる。接続短管２に対向する導入側３では、連結部品１に、円形の横断面を有する導入開口部４が形成されている。この導入開口部４には、図１に連結部品１から間隔をおいて示された対向部材を導入（差込）することができる。対向部材は実質的にシリンダ状の縦長導入部分５を備える。
【００１０】
対向部材の導入部分５は周回する止め凹部６を有し、この止め凹部６は縁部側で、導入部分５の自由端部領域に配置された第１縁部カラー７と、第１縁部カラー７に対向する位置に配された第２縁部カラー８によって画成されている。導入部分５は例えば、流体管路系の流体備蓄容器に装着された端部短管として構成されているか、または流体管路系の別のフレキシブルなチューブの端部と接続可能である。連結部品１へ挿入する直前の操作の際に、導入側３に向く方の端部分に、導入部分５は連結部品１への挿入を容易にするため導入斜面（コーン状部）９を有する。
【００１１】
接続短管２と導入側３との間において、連結部品１は接続短管２に対して密閉された連結部分１０をもって形成されており、この連結部分１０には導入切欠部１３が配置されている。この導入切欠部は側方から導入配設されており、屋根ウェブ（上端面）１１から底部ウェブ（底端面）１２へ、すなわち連結部品１の長手方向に対して直角方向に伸長している。連結部品１の長手方向で案内切欠部１３の両側には、連結部分１０の外側に対して内側にオフセットされて、僅かに外側に湾曲した（一対の）滑り面１４，１５が配置されている。これらの滑り面は、底部ウェブ１２に向いた側の端部領域においてロック凹部１６，１７によりロック構造体として構成され、屋根ウェブ１１に向いた側の端部領域においては開放（解除）維持凹部１８，１９により開放（状態）維持構造体として構成されている。ロック凹部１６、１７と開放（解除）空間維持凹部１８、１９は連結部品１の長手方向に配向されている。
【００１２】
さらに図１に示された有利な実施例では、実質的にＵ字形であり、連結部品１に脱着可能に取り付けられたロック部材２０が装備されている。このロック部材は外側が扁平な屋根部分２１と、屋根部分２１に直角に形成され、同様に外側が扁平な側面部分２２，２３を有する。各側面部分２２，２３の内側には内側に湾曲したロックウェブ２４，２５がそれぞれ１つ形成されている。これらのロックウェブは案内切欠部１３の直径に適合しており、案内切欠部に係合する。ロック部材２０の内径は、ロックウェブ２４，２５の湾曲領域においては予付勢力（プレバイアス）を形成するために、止め凹部６の領域における導入部分５の外径よりも小さい。側面部分２２，２３では、屋根部分２１とは反対側にあるロックウェブ２４、２５の端部領域において、このロックウェブから連結部品１の長手方向に配向され、起立した（ノッチ）係合ノーズ２６，２７が係合構造体として構成されている。これらの（ノッチ）係合ノーズはロック凹部１６、１７および開放維持凹部１８、１９に係合するよう構成されている。
【００１３】
図１では、ロック部材２０が固定された開放位置に存在し、この開放位置では（ノッチ）係合ノーズ２６，２７が開放維持凹部１８、１９と係合している。
【００１４】
図２は、図１による実施例の斜視図であり、連結部品１と、ロック位置にあるロック部材２０と、連結部品１に導入された導入部分５の断面が示されている。図２から、ロック部材２０は図１に示された開放位置から出発してロック位置を次のようにして取ることがわかる。すなわち例えば指先または工具によって屋根部分２１へ側面部分２１，２２の方向で、係合ノーズ２６，２７と開放維持凹部１８、１９との係合に打ち勝つのに十分な力を及ぼされ、さらに力が作用すると、側面部分２２，２３の内側が滑り面１４，１５上でスライドし、ロックウェブ２４，２５が連結部品１の案内切欠部１３にさらに係合することによってロック位置を取るのである。ロック位置では、図２では見ることのできない係合ノーズ２６，２７が同様に見えないロック凹部１６、１７に係合する。これによりロック部材２０はロック位置に固定される。
【００１５】
図３は、図１と図２の実施例による側方部分２２から屋根部分２１への移行領域を縦方向に部分的に切断した斜視図であり、ロック部材２０がロック位置にある。図３から、導入部分５の導入斜面９の領域で、パッキンリング３２が連結部品１と導入部分５との間に配置されており、これにより流体管路系との密な接続が達成されることが分る。さらに図３から、接続短管２に向いた方のロックウェブ２４，２５の縁部側は、導入部分５の自由端部に隣接する第１縁部カラー７に当接し、これにより導入部分５が実質的に遊びなしで連結部品１内に保持されることが分る。
【００１６】
導入部分５を、ロック部材２０を備える連結部品１にロック位置で導入する際、導入側３の方向で導入方向に有利には同様に傾斜された、ロック部材２０のロックウェブ２４，２５が導入斜面９でスライドし、ロックウェブ２４，２５は第１縁部カラー７に後ろから係合し、ロックウェブ２４，２５の湾曲部は導入部分５を止め凹部６の領域で部分的に包囲する。これにより対向部材は連結部品１と結合する。
【００１７】
ロック部材２０をロック位置から開放位置へ移行させ、導入部分５を開放するために、屋根部分２１とは反対側の端面２８，２９に、解除構造体として設けられた係合凹部３０，３１の領域で指の爪またはねじ回しのブレードの端面側端部が交互に当接される。そして屋根部分２１の方向へのそれぞれの押し運動により係合ノーズ２６，２７とロック凹部１６、１７との係合が解除される。
【図面の簡単な説明】
【００１８】
【図１】図１は、連結部品とロック部材を有する本発明の有利な実施例の斜視図である。ロック部材は図１では開放位置にあり、また対向部材の導入部分は連結部品から間隔をおいている。
【図２】図２は、図１による実施例の斜視図であり、連結部品と、ロック位置にあるロック部材と、連結部品に導入された導入部分の断面が示されている。
【図３】図３は、図１と図２の実施例の長手方向部分断面を斜視図で示す図である。
【図１】
2007533924.tif 000003
【図２】
2007533924.tif 000004
【図３】
2007533924.tif 000005
【手続補正書】
【提出日】平成19年2月20日(2007.2.20)
【手続補正１】
【補正対象書類名】明細書
【補正対象項目名】全文
【補正方法】変更
【補正の内容】
【発明の詳細な説明】
【技術分野】
【０００１】
本発明は、連結部品を有する流体管路系用の連結器に関するものであり、該連結部品には対向部材の導入部分が導入可能であり、さらにロック部材を有し、該ロック部材は連結部品に可動に取り付けられており、かつロック構造体を有し、該ロック構造体はロック位置において、該導入部分に形成された相補構造体と共に、対向部材および連結部品をロックするように共働する。
【背景技術】
【０００２】
この種の連結器はＤＥ１０１４１３１５Ｃ１から公知である。公知の連結器は連結部品を有し、この連結部品には対向部材の導入部分が導入可能である。さらにＣ字状のロック部材が設けられており、このロック部材は連結器の長手軸を中心に回転可能に連結部品に取り付けられている。ロック部材はロック構造体として円形セグメント状の部分を有し、この円形セグメント状の部分は、ロック位置において対向部材の導入部分に形成された相補構造体と、導入部分および連結部品をロックするように共働する。すなわちこの円形セグメント状の部分が、連結部品および導入部分に形成された凹部に係合することによってロックされる。ロック部材が連結器の長手軸を中心に回転すると、円形セグメント状の部分は、ロック部材が折れ曲がることで凹部から外れ、導入部分を開放位置に開放する。回転を容易にするため、ロック部材の外側にはグリップ溝またはグリップ突起が設けられている。
【発明の開示】
【発明が解決しようとする課題】
【０００３】
しかし公知の連結器の操作は、次の点で不利であることが判明している。すなわち開放位置がある程度の不安定性を有しているのである。なぜなら比較的小さな力が連結部品に作用すると、この連結部品が開放位置からロック位置へ直接、跳躍的に移行するからである。さらに連結部品がロック位置から開放位置へその回転によって移行するためには、比較的に大きな空間が必要であり、これは最適ではない。最後に、例えばグリップ溝またはグリップ突起が摩耗すると、ロック部材の壁が滑らかとなり、このことは回転運動を実施するのに必ずしも問題がないわけではない。
【０００４】
本発明の課題は、冒頭に述べた形式の連結器を改善し、良好な操作を特徴とするように構成することである。
【課題を解決するための手段】
【０００５】
この課題は冒頭に述べた形式の連結器において本発明により、ロック部材が相互に平行な２つの側面部分をもって形成されており、該側面部分の、連結部品に向く内側にはそれぞれ長手方向に延在する少なくとも１つのロックウェブが形成されており、該側面部分の自由端部の領域にはノッチ構造体が配置されており、連結部品は、相互に対向する案内切欠部をもって形成されており、該案内切欠部にはロックウェブが係合し、連結部品には該案内切欠部の端部領域で、該係合構造体と相補的に構成されたロック構造体が設けられている、ことにより解決される。
【発明の効果】
【０００６】
連結器を本発明のように構成することによって、ロック部材が開放位置とロック位置との間で、連結器の長手方向に対して横方向に実質的に線形の方向で運動し、これによりスペースが狭い場合でも、比較的問題のない操作が可能である。さらにとりわけ開放位置が外部からの力作用に対して比較的高い安定性を有するという利点が得られる。これによりロック部材がロック位置へ意図せずに閉まってしまうことが少なくとも困難になる。
【０００７】
本発明のさらなる有利な構成は従属請求項の対象である。
すなわち、上記解決手段を有する連結器において、連結部品には該案内切欠部の他方の端部領域で、該係合構造体と相応して構成された開放維持構造体が設けられていることが好ましい。
【０００８】
さらに、該係合構造体、ロック構造体、および該開放維持構造体は、該ロックウェブに対して直角に、連結部品の長手方向に配向された隆起部と凹部を有することが好ましい。
【０００９】
また、これらの連結器において、該ロック部材の自由端部の領域には解除構造体（Reliefstruktur）が配置されていることが好ましい。
【００１０】
さらにこれらの連結器において、該ロック部材は、側方部分に対して直角に配向された扁平な屋根部分を有することが好ましい。
【００１１】
加えてこれらの連結器において、該ロックウェブは、連結部品の導入側の方向に傾斜されていることが好ましい。
【実施例】
【００１２】
図面を参照した、本発明の有利な実施例の以下の説明からさらなる有利な構成および利点が明らかとなる。
【００１３】
図１は、本発明の連結器の実施例の斜視図であり、この連結器は長手の連結部品１を有し、この連結部品は片側に接続短管２を有する。接続短管２は、長手方向に横断面が可変に構成されており、端部側が傾斜されている。この接続短管２には例えば図１に図示しない流体管路系のフレキシブルなチューブの端部に挿入（差込）することができる。接続短管２に対向する導入側３では、連結部品１に、円形の横断面を有する導入開口部４が形成されている。この導入開口部４には、図１に連結部品１から間隔をおいて示された対向部材を導入（差込）することができる。対向部材は実質的にシリンダ状の縦長導入部分５を備える。
【００１４】
対向部材の導入部分５は周回する止め凹部６を有し、この止め凹部６は縁部側で、導入部分５の自由端部領域に配置された第１縁部カラー７と、第１縁部カラー７に対向する位置に配された第２縁部カラー８によって画成されている。導入部分５は例えば、流体管路系の流体備蓄容器に装着された端部短管として構成されているか、または流体管路系の別のフレキシブルなチューブの端部と接続可能である。連結部品１へ挿入する直前の操作の際に、導入側３に向く方の端部分に、導入部分５は連結部品１への挿入を容易にするため導入斜面（コーン状部）９を有する。
【００１５】
接続短管２と導入側３との間において、連結部品１は接続短管２に対して密閉された連結部分１０をもって形成されており、この連結部分１０には導入切欠部１３が配置されている。この導入切欠部は側方から導入配設されており、屋根ウェブ（上端面）１１から底部ウェブ（底端面）１２へ、すなわち連結部品１の長手方向に対して直角方向に伸長している。連結部品１の長手方向で案内切欠部１３の両側には、連結部分１０の外側に対して内側にオフセットされて、僅かに外側に湾曲した（一対の）滑り面１４，１５が配置されている。これらの滑り面は、底部ウェブ１２に向いた側の端部領域においてロック凹部１６，１７によりロック構造体として構成され、屋根ウェブ１１に向いた側の端部領域においては開放（解除）維持凹部１８，１９により開放（状態）維持構造体として構成されている。ロック凹部１６、１７と開放（解除）空間維持凹部１８、１９は連結部品１の長手方向に配向されている。
【００１６】
さらに図１に示された有利な実施例では、実質的にＵ字形であり、連結部品１に脱着可能に取り付けられたロック部材２０が装備されている。このロック部材は外側が扁平な屋根部分２１と、屋根部分２１に直角に形成され、同様に外側が扁平な側面部分２２，２３を有する。各側面部分２２，２３の内側には内側に湾曲したロックウェブ２４，２５がそれぞれ１つ形成されている。これらのロックウェブは案内切欠部１３の直径に適合しており、案内切欠部に係合する。ロック部材２０の内径は、ロックウェブ２４，２５の湾曲領域においては予付勢力（プレバイアス）を形成するために、止め凹部６の領域における導入部分５の外径よりも小さい。側面部分２２，２３では、屋根部分２１とは反対側にあるロックウェブ２４、２５の端部領域において、このロックウェブから連結部品１の長手方向に配向され、起立した（ノッチ）係合ノーズ２６，２７が係合構造体として構成されている。これらの（ノッチ）係合ノーズはロック凹部１６、１７および開放維持凹部１８、１９に係合するよう構成されている。
【００１７】
図１では、ロック部材２０が固定された開放位置に存在し、この開放位置では（ノッチ）係合ノーズ２６，２７が開放維持凹部１８、１９と係合している。
【００１８】
図２は、図１による実施例の斜視図であり、連結部品１と、ロック位置にあるロック部材２０と、連結部品１に導入された導入部分５の断面が示されている。図２から、ロック部材２０は図１に示された開放位置から出発してロック位置を次のようにして取ることがわかる。すなわち例えば指先または工具によって屋根部分２１へ側面部分２１，２２の方向で、係合ノーズ２６，２７と開放維持凹部１８、１９との係合に打ち勝つのに十分な力を及ぼされ、さらに力が作用すると、側面部分２２，２３の内側が滑り面１４，１５上でスライドし、ロックウェブ２４，２５が連結部品１の案内切欠部１３にさらに係合することによってロック位置を取るのである。ロック位置では、図２では見ることのできない係合ノーズ２６，２７が同様に見えないロック凹部１６、１７に係合する。これによりロック部材２０はロック位置に固定される。
【００１９】
図３は、図１と図２の実施例による側方部分２２から屋根部分２１への移行領域を縦方向に部分的に切断した斜視図であり、ロック部材２０がロック位置にある。図３から、導入部分５の導入斜面９の領域で、パッキンリング３２が連結部品１と導入部分５との間に配置されており、これにより流体管路系との密な接続が達成されることが分る。さらに図３から、接続短管２に向いた方のロックウェブ２４，２５の縁部側は、導入部分５の自由端部に隣接する第１縁部カラー７に当接し、これにより導入部分５が実質的に遊びなしで連結部品１内に保持されることが分る。
【００２０】
導入部分５を、ロック部材２０を備える連結部品１にロック位置で導入する際、導入側３の方向で導入方向に有利には同様に傾斜された、ロック部材２０のロックウェブ２４，２５が導入斜面９でスライドし、ロックウェブ２４，２５は第１縁部カラー７に後ろから係合し、ロックウェブ２４，２５の湾曲部は導入部分５を止め凹部６の領域で部分的に包囲する。これにより対向部材は連結部品１と結合する。
【００２１】
ロック部材２０をロック位置から開放位置へ移行させ、導入部分５を開放するために、屋根部分２１とは反対側の端面２８，２９に、解除構造体として設けられた係合凹部３０，３１の領域で指の爪またはねじ回しのブレードの端面側端部が交互に当接される。そして屋根部分２１の方向へのそれぞれの押し運動により係合ノーズ２６，２７とロック凹部１６、１７との係合が解除される。
【図面の簡単な説明】
【００２２】
【図１】図１は、連結部品とロック部材を有する本発明の有利な実施例の斜視図である。ロック部材は図１では開放位置にあり、また対向部材の導入部分は連結部品から間隔をおいている。
【図２】図２は、図１による実施例の斜視図であり、連結部品と、ロック位置にあるロック部材と、連結部品に導入された導入部分の断面が示されている。
【図３】図３は、図１と図２の実施例の長手方向部分断面を斜視図で示す図である。
【国際調査報告】
2007533924.tif 000006
2007533924.tif 000007
2007533924.tif 000008
2007533924.tif 000009